(57)【要約】【課題】移動状態に応じて機能を制限する電子機器を提供する。【解決手段】電子機器は、加速度センサ１６と、制御部１８と、を備える。加速度センサ１６は、加速度を検出する。制御部１８は、加速度センサ１６の検出結果に基づいて移動状態の種別を判別し、判別した種別に応じて機能を制限する。制御部１８は、移動状態の種別として、例えば、歩行状態、走行状態、自転車及び乗り物乗車状態を判別する。制御部１８は、機能の制限として、例えば、第１〜３事項のうち少なくとも１つを実施する。第１事項は、制限される機能を実行するためのアプリケーションを起動させないことである。第２事項は、制限される機能を実行するためのアプリケーションを終了させることである。第３事項は、制限される機能を実行するためのアプリーションの動作に基づく出力を行わせないことである。【選択図】図１
2015122609.tif 000002
【特許請求の範囲】
【請求項１】
加速度を検出する加速度センサと、
前記加速度センサの検出結果に基づいて移動状態の種別を判別し、判別した種別に応じて機能を制限する制御部と、
を備える電子機器。
【請求項２】
前記機能には複数の機能があり、
前記制御部は、判別した種別に応じて、前記複数の機能のうちのいずれかを制限する
請求項１に記載の電子機器。
【請求項３】
前記複数の機能として、メール機能、ゲーム機能、カメラ機能、インターネット機能、地図表示機能及び音楽機能を含む複数の機能の中から選択される
請求項２に記載の電子機器。
【請求項４】
前記制御部は、前記機能の制限として、制限される機能を実行するためのアプリケーションを起動させないこと、制限される機能を実行するためのアプリケーションを終了させること、及び、制限される機能を実行するためのアプリーションの動作に基づく出力を行わせないこと、のうち少なくとも１つを実施する
請求項１から３のいずれか１項に記載の電子機器。
【請求項５】
前記制御部は、前記機能の制限として、制限される機能を実行するためのアプリケーションを終了させる場合、当該アプリケーションを終了させる前に、警告の出力を行わせる
請求項１から４のいずれか１項に記載の電子機器。
【請求項６】
前記制御部は、前記移動状態の種別として、歩行状態、走行状態、自転車及び乗り物乗車状態を判別する
請求項１から５のいずれか１項に記載の電子機器。
【発明の詳細な説明】
【技術分野】
【０００１】
本発明は、携帯型の電子機器に関する。
【背景技術】
【０００２】
従来から、電子機器には、所定の条件を満たす場合に機能を制限するタイプがある（特許文献１参照）。
【先行技術文献】
【特許文献】
【０００３】
【特許文献１】特開２０１２−２４４２０７号公報
【発明の概要】
【発明が解決しようとする課題】
【０００４】
現在の電子機器には、多種多様な機能が搭載されている。電子機器の機能の制限については改善の余地がある。
【課題を解決するための手段】
【０００５】
電子機器は、加速度を検出する加速度センサと、前記加速度センサの検出結果に基づいて移動状態の種別を判別し、判別した種別に応じて機能を制限する制御部と、を備える。
【０００６】
前記機能には複数の機能があることが好ましい。この場合、前記制御部は、判別した種別に応じて、前記複数の機能のうちのいずれかを制限する。
【０００７】
電子機器では、前記複数の機能として、メール機能、ゲーム機能、カメラ機能、インターネット機能、地図表示機能及び音楽機能を含む複数の機能の中から選択されることが好ましい。
【０００８】
前記制御部は、前記機能の制限として、制限される機能を実行するためのアプリケーションを起動させないこと、制限される機能を実行するためのアプリケーションを終了させること、及び、制限される機能を実行するためのアプリーションの動作に基づく出力を行わせないこと、のうち少なくとも１つを実施することが好ましい。
【０００９】
前記制御部は、前記機能の制限として、制限される機能を実行するためのアプリケーションを終了させる場合、当該アプリケーションを終了させる前に、警告の出力を行わせることが好ましい。
【００１０】
前記制御部は、前記移動状態の種別として、歩行状態、走行状態、自転車及び乗り物乗車状態を判別することが好ましい。
【発明の効果】
【００１１】
本発明によれば、移動状態に応じて機能を制限する電子機器を提供することができる。
【図面の簡単な説明】
【００１２】
【図１】携帯電話機の構成を示すブロック図である。
【図２】加速度センサの検出結果を模式的に示す図である。
【発明を実施するための形態】
【００１３】
本発明を実施するための実施形態を、図面を参照しつつ詳細に説明する。以下では、電子機器の一例として、携帯電話機１について説明する。
【００１４】
携帯電話機１は、図１に示すように、表示部１１と、操作部１２と、レシーバ１３と、マイク１４と、通信部１５と、加速度センサ１６と、記憶部１７と、カメラ部１９と、ＧＰＳ（Ｇｌｏｂａｌ  Ｐｏｓｉｔｉｏｎｉｎｇ  Ｓｙｓｔｅｍ）部２０と、制御部１８とを備える。
表示部１１は、液晶ディスプレイ、有機ＥＬ（Ｅｌｅｃｔｒｏ−Ｌｕｍｉｎｅｓｃｅｎｃｅ）ディスプレイ、無機ＥＬディスプレイ、又はＭＥＭＳシャッターディスプレイ等の表示デバイスにより構成されている。表示部１１には、文字、画像、記号又は図形等が表示される。
【００１５】
操作部１２は、複数のボタンから構成されており、利用者によって操作される。なお、操作部１２は、単一のボタンにより構成されていてもよい。操作部１２は、表示部１１に表示されるボタンにより構成されてもよい。
レシーバ１３は、制御部１８から送信される音声信号を音声に変換して出力する。
【００１６】
通信部１５は、アンテナ（図示せず）と、ＲＦ回路部（図示せず）とを備える。通信部１５は、複数の無線通信規格それぞれに対応した通信方式によって通信を行う。通信部１５は、２Ｇ、３Ｇ、４Ｇ等のセルラーフォンの通信規格及び無線ＬＡＮシステムの少なくとも一方による通信を可能とする。通信部１５は、無線ＬＡＮシステムである、ＩＥＥＥ８０２．１１に準拠している無線通信システム、例えば、ＷｉＦｉ（登録商標）の無線通信システムによる通信を可能とする。なお、通信部１５は、ＷｉＭＡＸ（登録商標）の無線通信システムによる通信を行ってもよい。アンテナ及びＲＦ回路部は、複数の通信方式それぞれに対応して複数設けられている。
【００１７】
加速度センサ１６は、携帯電話機１に働く加速度の方向及び大きさを検出し、検出結果を制御部１８に出力する。加速度センサ１６は、Ｘ軸方向、Ｙ軸方向及びＺ軸方向の加速度を検出する３Ｇ（３次元）タイプである。
【００１８】
なお、加速度センサ１６は、例えば、ピエゾ抵抗型、静電容量型により構成されるものとするが、これに限らない。例えば、加速度センサ１６は、圧電素子（圧電式）、熱検知型によるＭＥＭＳ（Ｍｉｃｒｏ  Ｅｌｅｃｔｒｏ  Ｍｅｃｈａｎｉｃａｌ  Ｓｙｓｔｅｍｓ）式、可動コイルを動かしてフィードバック電流によってもとに戻すサーボ式、又は加速度によって生じる歪を歪ゲージによって測定する歪ゲージ式等により構成されてもよい。
【００１９】
記憶部１７は、例えば、制御部１８による演算処理に利用され、メモリ等によって構成される。記憶部１７は、携帯電話機１の内部で動作するアプリケーションを１又は複数記憶する。なお、記憶部１７は、着脱可能な外部メモリを兼ねていてもよい。
【００２０】
カメラ部１９は、被写体を撮像する。カメラ部１９は、静止画及び動画の少なくとも一方を取得する。
ＧＰＳ部２０は、複数のＧＰＳ衛星から信号を受信することに基づいて、携帯電話機１の現在位置の情報を取得する。
【００２１】
制御部１８は、携帯電話機１の全体を制御しており、中央処理装置（ＣＰＵ）等を用いて構成される。
【００２２】
ここで、制御部１８による加速度センサ１６の検出結果の処理について説明する。
制御部１８には、図２に示すように、Ｘ軸方向の加速度（図２中のＡ）と、Ｙ軸方向の加速度（図２中のＢ）と、Ｚ軸方向の加速度（図２中のＣ）と、各加速度を合成したベクトル値（図２中のＤ）が加速度センサ１６の検出結果として送信されてくる。制御部１８は、合成ベクトル値をロギングし、ロギングしたデータを分析して、携帯電話機１の状態を判別する。ロギングしたデータは、記憶部１７に記憶される。なお、加速度による状態の判別は、Ｘ，Ｙ，Ｚ軸ごとに独立して分析してもよい。
【００２３】
制御部１８が、携帯電話機１の状態を判別するにあたり、例えば、予め記憶部１７に記憶されている、停止状態又は複数の移動状態毎に対応付けられている加速度パターンを用いる。この加速度パターンとは、携帯電話機１が停止状態にある場合、携帯電話機１を有している利用者が歩行している状態にある場合、又は自転車に乗車している状態にある場合等に、どのような加速度パターンが加速度センサ１６により特徴的に検出されるのかを、予め計測し、抽出しておいたパターンである。本実施形態においては、例えば、停止状態又は複数の移動状態毎に、上述した合成ベクトル値のロギングしたデータに対応する加速度パターンが予め記憶部１７に記憶されている。制御部１８は、上述した合成ベクトル値のロギングしたデータと、加速度パターンを比較することにより、携帯電話機１の状態を判別する。
【００２４】
具体的には、制御部１８は、加速度センサ１６によって検出された加速度に基づき、携帯電話機１が停止状態又は複数の移動状態のいずれかであるかを判別する。
例えば、制御部１８は、停止状態と、後述する第１移動状態から第５移動状態のうちいずれの状態であるかを判別する。停止状態は、例えば、携帯電話機１が使用者に所持されているものの使用者が移動していない状態、携帯電話機１が載置されている状態である。制御部１８は、加速度センサ１６によって所定の加速度が検出されていない場合又は検出されている加速度が所定値よりも小さい場合、停止状態であると判別することができる。
【００２５】
制御部１８は、後述する第１移動状態から第５移動状態のいずれかの状態を判別することによって、自転車、自動車若しくは電車のいずれかに乗車している状態又は歩行状態であるかを判別可能である。
【００２６】
第１移動状態は、携帯電話機１の利用者が、乗り物に乗っていない状態、すなわち、歩行状態である。第２移動状態は、当該利用者が自動車で移動している状態である。第３移動状態は、当該利用者が自転車で移動している状態である。第４移動状態は、当該利用者が電車で移動している状態である。第５移動状態は、当該利用者がその他の輸送手段で移動している状態である。
【００２７】
制御部１８は、加速度センサ１６の検出結果に基づいて移動状態の種別を判別し、判別した種別に応じて機能を制限する。制御部１８は、移動状態の種別として、歩行状態、乗り物乗車状態及び自転車走行状態を判別する。すなわち、制御部１８は、移動の種別の判別として、上述したように携帯電話機１が第１〜５移動状態のいずれの状態であるかを判別する。
【００２８】
上記の機能には複数の機能がある。例えば、複数の機能として、メール機能、ゲーム機能、カメラ機能、インターネット機能、地図表示機能及び音楽機能を含む複数の機能の中から選択される。メール機能は、例えば、通信部１５を介して、作成したメールを相手側に送信し、相手側から受信したメールを表示部１１に表示させる機能である。ゲーム機能は、例えば、記憶部１７に記憶されるゲームアプリケーションを実行する機能である。カメラ機能は、例えば、カメラ部１９を利用して、静止画又は動画で被写体を撮影する機能である。インターネット機能は、例えば、通信部１５を介して外部のサーバ（図示せず）に接続することに基づいて情報を取得し、その情報を表示部１１に表示させる機能である。地図表示機能は、例えば、ＧＰＳ部２０を利用して携帯電話機１の現在位置を取得し、表示部１１に表示される地図に現在位置を表示させる機能である。音楽機能は、例えば、記憶部１７に記憶される音楽再生アプリケーションを利用して、音楽を再生させる機能である。これらの機能は、アプリケーションと言い換えることができる。なお、本実施形態では、携帯電話機１が、メール機能、ゲーム機能、カメラ機能、インターネット機能、地図表示機能及び音楽機能の全てを有している例を説明する。
【００２９】
制御部１８は、判別した種別に応じて、複数の機能のうちのいずれかを制限する。例えば、制御部１８は、判別した移動状態において機能を実行すると、利用者に危険がおよぶ、又は、周囲の人に迷惑となる等の観点から、特定の機能を制限する。言い換えると、制御部１８は、判別した種別に応じて、複数のアプリケーションのうちのいずれかを制限する。
【００３０】
例えば、第１移動状態と判別した場合に制限される機能が予め決められている。第２移動状態と判別した場合に制限される機能が予め決められている。第３移動状態と判別した場合に制限される機能が予め決められている。第４移動状態と判別した場合に制限される機能が予め決められている。第５移動状態と判別した場合に制限される機能が予め決められている。このような取り決めの情報（取決情報）は、例えば、記憶部１７に記憶されている。制御部１８は、第１〜５移動状態のいずれかと判別した場合に、記憶部１７に記憶される取決情報を参照して制限される機能を特定する。制御部１８は、機能を特定すると、特定した機能を制限する。
【００３１】
具体的な例としては、制御部１８は、第１移動状態と判定した場合には、メール機能、ゲーム機能、カメラ機能及びインターネット機能を制限する。すなわち、制御部１８は、第１移動状態と判定した場合には、地図表示機能及び音楽機能を制限しない。
制御部１８は、第２移動状態と判定した場合には、メール機能、ゲーム機能、カメラ機能及びインターネット機能を制限する。すなわち、制御部１８は、第２移動状態と判定した場合には、地図表示機能及び音楽機能を制限しない。
【００３２】
制御部１８は、第３移動状態と判定した場合には、メール機能、ゲーム機能、カメラ機能、インターネット機能及び音楽機能を制限する。すなわち、制御部１８は、第３移動状態と判定した場合には、地図表示機能を制限しない。
制御部１８は、第４移動状態と判定した場合には、いずれの機能も制限しない。
【００３３】
これにより、携帯電話機１は、移動状態に応じて機能を制限する。例えば、携帯電話機１は、歩きながらの操作を受け付けないので、事故又は怪我が発生することを防ぐことができる。携帯電話機１は、ユーザに対して節度ある使用を促すことができる。
【００３４】
制御部１８は、機能の制限として、以下の第１〜３事項のうち少なくとも１つを実施する。
第１事項は、制限される機能を実行するためのアプリケーションを起動させないことである。第１事項は、現在実行されていない機能を以降も実行させないようにするために実施される。
【００３５】
第２事項は、制限される機能を実行するためのアプリケーションを終了させることである。第２事項は、現在実行されている機能を終了させて、これ以降、機能を実行させないようにするために実施される。
【００３６】
第３事項は、制限される機能を実行するためのアプリーションの動作に基づく出力を行わせないことである。第３事項は、アプリケーションの動作を一部制限するために実施される。一例として、音楽機能で説明すると、第３事項は、音楽再生アプリケーションに基づく画像を表示部１１に表示させないこと、又は、音楽再生アプリケーションによって再生される音楽をイヤホン（図示せず）から出力させないことである。
【００３７】
これにより、携帯電話機１は、事故又は怪我が発生することを防ぐことができる。携帯電話機１は、ユーザに対して節度ある使用を促すことができる。
【００３８】
制御部１８は、機能の制限として、制限される機能を実行するためのアプリケーションを終了させる場合、アプリケーションを終了させる前に、警告の出力を行わせる。例えば、制御部１８は、警告の出力として、アプリケーションを終了させる旨のポップアップを表示部１１に表示させる。
【００３９】
これにより、携帯電話機１は、突然、機能が停止されることに基づいて、ユーザが驚くことを回避することができる。携帯電話機１は、警告を出力するので、利用者に移動状態であることを意識させることができる。すなわち、携帯電話機１は、ユーザに対して節度ある使用を促すことができる。
【００４０】
上述した実施形態では、電子機器の一例として携帯電話機１を挙げて説明した。しかし、本発明は、この実施形態に限定されることはない。電子機器は、例えば、携帯情報端末、又は、携帯型のゲーム機等であってもよい。
【符号の説明】
【００４１】
１  携帯電話機（電子機器）
１６  加速度センサ
１８  制御部
【図１】
2015122609.tif 000003
【図２】
2015122609.tif 000004